【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
画像形成システムであって、
シートに画像を形成する画像形成手段と、
前記画像形成手段から搬送されたシートをステイプルするステイプル手段と、
ユーザによりセットされた位置で前記ステイプル手段により綴じられるシートがセットされるシートセット部と、
前記シートセット部にシートがセットされていることを検知する検知手段と、
節電移行指示をユーザから受け付ける受付手段と、
前記受付手段により受け付けられた前記節電移行指示に応じて、前記検知手段の検知結果に基づき所定のデバイスへの電力供給を停止する電力制御手段と、
を有することを特徴とする画像形成システム。
【請求項２】
前記画像形成システムは、前記検知手段により前記シートセット部にシートがセットされていることが検知されている間、前記受付手段により前記節電移行指示が受け付けられても前記所定のデバイスへの電力供給を停止しないことを特徴とする請求項１に記載の画像形成システム。
【請求項３】
前記電力制御手段は、前記節電移行指示に応じて、前記検知手段により前記シートセット部にシートがセットされていることが検知されていることに基づいて、前記所定のデバイスへの電力供給を停止しないことを特徴とする請求項１または２に記載の画像形成システム。
【請求項４】
前記電力制御手段は、前記節電移行指示に応じて、前記検知手段により前記シートセット部にシートがセットされていることが検知されていないことに基づいて、前記所定のデバイスへの電力供給を停止することを特徴とする請求項１乃至３のいずれか一項に記載の画像形成システム。
【請求項５】
前記所定のデバイスに電力が供給されていない状態において、前記ステイプル手段がユーザにより前記シートセット部にセットされたシートをステイプルしないことを特徴とする請求項１または２に記載の画像形成システム。
【請求項６】
前記受付手段は、前記所定のデバイスに電力が供給されていない状態において、復帰指示をユーザから受け付けることができ、
前記電力制御手段は、前記復帰指示に基づき、前記所定のデバイスへの電力供給を開始することを特徴とする請求項１乃至５のいずれか一項に記載の画像形成システム。
【請求項７】
前記電力制御手段は、前記受付手段により受け付けられた前記節電移行指示に応じて、前記検知手段の検知結果に基づき前記ステイプル手段への電力供給を停止することを特徴とする請求項１乃至６のいずれか一項に記載の画像形成システム。
【請求項８】
前記ステイプル手段は、前記所定のデバイスに電力が供給されている状態において、前記シートセット部にセットされたシートを綴じることを特徴とする請求項１乃至７のいずれか一項に記載の画像形成システム。
【請求項９】
画像を表示する表示手段をさらに有し、
前記表示手段は、前記受付手段により受け付けられた前記節電移行指示に応じて、前記検知手段の検知結果に基づき画像を表示しないことを特徴とする請求項１乃至８のいずれか一項に記載の画像形成システム。
【請求項１０】
前記電力制御手段は、前記受付手段により受け付けられた前記節電移行指示に応じて、前記検知手段の検知結果に基づき前記表示手段のバックライトを消灯することを特徴とする請求項９に記載の画像形成システム。
【請求項１１】
前記表示手段は、前記シートセット部にシートがセットされていることに基づき、前記シートを取り除くことを促す画像を表示することを特徴とする請求項９または１０に記載の画像形成システム。
【請求項１２】
前記受付手段は節電キーであることを特徴とする請求項１乃至１１のいずれか一項に記載の画像形成システム。
【請求項１３】
前記画像形成システムは、シートに画像を形成する画像形成装置と、前記画像形成装置により画像が形成されたシートを綴じることができるフィニッシャと、から構成され、
前記画像形成装置は、
前記画像形成手段と、前記受付手段と、前記電力制御手段と、を有し、
前記フィニッシャは、
前記シートセット部と、前記検知手段と、前記ステイプル手段と、を有する
ことを特徴とする請求項１乃至１２のいずれか一項に記載の画像形成システム。
【請求項１４】
前記所定のデバイスは、前記画像形成手段によりシートに形成された画像をシートに定着させる定着手段であることを特徴とする請求項１３に記載の画像形成システム。
【請求項１５】
画像形成装置から搬送されるシートを綴じるステイプル手段と、ユーザによりセットされた位置で前記ステイプル手段により綴じられるシートがセットされるシートセット部と、前記シートセット部にシートがセットされていることを検知する検知手段と、を有するフィニッシャを取り付けることのできる画像形成装置であって、
節電移行指示をユーザから受け付ける受付手段と、
前記受付手段により受け付けられた前記節電移行指示に応じて、前記検知手段の検知結果に基づき所定のデバイスへの電力供給を停止する電力制御手段と、
を有することを特徴とする画像形成装置。
【請求項１６】
前記電力制御手段は、前記節電移行指示に応じて、前記検知手段により前記シートセット部にシートがセットされていることが検知されていることに基づいて、前記所定のデバイスへの電力供給を停止しないこと特徴とする請求項１５に記載の画像形成装置。
【請求項１７】
前記電力制御手段は、前記節電移行指示に応じて、前記検知手段により前記シートセット部にシートがセットされていることが検知されていないことに基づいて、前記所定のデバイスへの電力供給を停止することを特徴とする請求項１５または１６に記載の画像形成装置。
【請求項１８】
前記所定のデバイスは画像形成手段によりシートに形成された画像をシートに定着させる定着手段であることを特徴とする請求項１５乃至１７のいずれか一項に記載の画像形成装置。
【請求項１９】
画像を表示する表示手段を有し、
前記表示手段は、前記受付手段により受け付けられた前記節電移行指示に応じて、前記検知手段の検知結果に基づき画像を表示しないことを特徴とする請求項１５乃至１８のいずれか一項に記載の画像形成装置。
【請求項２０】
画像形成システムであって、
シートに画像を形成する画像形成手段と、
前記画像形成手段から搬送されたシートをステイプルするステイプル手段と、
ユーザによりセットされた位置で前記ステイプル手段により綴じられるシートがセットされるシートセット部と、
前記シートセット部にシートがセットされていることを検知する検知手段と、
ユーザ操作を受け付ける受付手段と、
前記受付手段により前記ユーザ操作が受け付けられていない時間に応じて、前記検知手段の検知結果に基づいて所定のデバイスへの電力供給を停止する電力制御手段と、
を有することを特徴とする画像形成システム。
【請求項２１】
前記電力制御手段は、前記検知手段により前記シートセット部にシートがセットされていることが検知されている間、前記受付手段により前記ユーザ操作が受け付けられていない時間に応じた前記所定のデバイスへの電力供給の停止を特徴とする請求項２０に記載の画像形成システム。
【請求項２２】
前記電力制御手段は、前記受付手段により前記ユーザ操作が受け付けられていない時間に応じて、前記検知手段により前記シートセット部にシートがセットされていることが検知されていることに基づいて、前記所定のデバイスへの電力供給を停止しないことを特徴とする請求項２０または２１に記載の画像形成システム。
【請求項２３】
前記電力制御手段は、前記受付手段により前記ユーザ操作が受け付けられていない時間に応じて、前記検知手段による前記シートセット部にシートがセットされていることが検知されていないことに基づいて、前記所定のデバイスへの電力供給を停止することを特徴とする請求項２０乃至２２のいずれか一項に記載の画像形成システム。
【請求項２４】
前記検知手段は、前記受付手段により前記ユーザ操作が受け付けられていない時間に基づいて、前記所定のデバイスへの電力供給が停止した後も、前記シートセット部にシートがセットされていることを検知することができることを特徴とする請求項２０乃至２３のいずれか一項に記載の画像形成システム。
【請求項２５】
前記所定のデバイスへの電力供給がなされていない状態において、前記ステイプル手段は前記シートセット部にセットされたシートをステイプルしないことを特徴とする請求項２０乃至２４のいずれか一項に記載の画像形成システム。
【請求項２６】
前記電力制御手段は、前記所定のデバイスへの電力供給がなされていない状態において、前記検知手段によりシートが前記シートセット部にセットされていることが検知されたことに従って、前記所定のデバイスに電力を供給させ、
前記ステイプル手段は、前記所定のデバイスに電力が供給された後、前記シートセット部にセットされたシートをステイプルすることを特徴とする請求項２５に記載の画像形成システム。
【請求項２７】
画像を表示する表示手段をさらに有し、
前記表示手段は、前記検知手段により前記シートセット部にシートがあることが検知されていることに基づき、当該シートを前記シートセット部から取り除くことを促す画像を表示することを特徴とする請求項２０乃至２６のいずれか一項に記載の画像形成システム。
【請求項２８】
前記画像形成システムは、画像形成装置とフィニッシャからなり、
前記画像形成装置は、
前記画像形成手段と、前記電力制御手段と、を有し、
前記フィニッシャは、
前記ステイプル手段と、前記検知手段と、を有する
ことを特徴とする請求項２０乃至２６のいずれか一項に記載の画像形成システム。
【請求項２９】
前記所定のデバイスは、前記画像形成手段がシートに形成した画像を前記シートに定着させる定着手段であることを特徴とする請求項２８に記載の画像形成システム。
【請求項３０】
画像形成装置から搬送されたシートをステイプルするステイプル手段と、ユーザによりセットされた位置で前記ステイプル手段により綴じられるシートがセットされるシートセット部と、前記シートセット部にシートがセットされていることを検知する検知手段と、を有するフィニッシャを取り付け可能な画像形成装置であって、
前記シートに画像を形成する画像形成手段と、
ユーザ操作を受け付ける受付手段と、
前記受付手段により前記ユーザ操作が受け付けられていない時間に応じて、前記検知手段の検知結果に基づいて所定のデバイスへの電力供給を停止する電力制御手段と、
を有することを特徴とする画像形成装置。
【請求項３１】
前記電力制御手段は、前記受付手段により前記ユーザ操作が受け付けられていない時間に応じて、前記検知手段により前記シートセット部にシートがセットされていることが検知されていることに基づいて、前記所定のデバイスへの電力供給を停止することを特徴とする請求項３０に記載の画像形成装置。
【請求項３２】
前記電力制御手段は、前記受付手段により前記ユーザ操作が受け付けられていない時間に応じて、前記検知手段により前記シートセット部にシートがセットされていることが検知されていないことに基づいて、前記所定のデバイスへの電力供給を停止することを特徴とする請求項３０または３１に記載の画像形成装置。
【請求項３３】
前記所定のデバイスは、前記画像形成手段がシートに形成した画像をシートに定着させる定着手段であることを特徴とする請求項３０乃至３２のいずれか一項に記載の画像形成装置。
【請求項３４】
画像を表示する表示手段を有し、
前記表示手段は、前記受付手段により前記ユーザ操作が受け付けられていない時間に応じて、前記検知手段の検知結果に基づき画像を表示しないことを特徴とする請求項３０乃至３３のいずれか一項に記載の画像形成装置。
【請求項３５】
画像形成システムであって、
シートに画像を形成する画像形成手段と、
前記画像形成手段から搬送されたシートをステイプルするステイプル手段と、
ユーザによりセットされた位置で前記ステイプル手段により綴じられるシートがセットされるシートセット部と、
前記シートセット部にシートがセットされていることを検知する検知手段と、
ユーザにより指定された時刻に、前記検知手段の検知結果に基づいて所定のデバイスへの電力供給を停止する電力制御手段と、
と有することを特徴とする画像形成システム。
【請求項３６】
前記画像形成システムは、前記検知手段により前記シートセット部にシートがセットされていることが検知されている間、前記ユーザにより指定された時刻になっても前記所定のデバイスへの電力供給を停止しないことを特徴とする請求項３５に記載の画像形成システム。
【請求項３７】
前記電力制御手段は、前記ユーザにより指定された時刻に、前記検知手段により前記シートセット部にシートがセットされていることが検知されていることに基づいて、前記所定のデバイスへの電力供給を停止しないことを特徴とする請求項３５または３６に記載の画像形成システム。
【請求項３８】
前記電力制御手段は、前記ユーザにより指定された時刻に、前記検知手段により前記シートセット部にシートがセットされていることが検知されていないことに基づいて、前記所定のデバイスへの電力供給を停止することを特徴とする請求項３５乃至３７のいずれか一項に記載の画像形成システム。
【請求項３９】
画像を表示する表示手段をさらに有し、
前記表示手段は、前記検知手段により前記シートセット部にシートがセットされていることが検知されていることに基づいて、前記シートを前記シートセット部から取り除くよう促す画面を表示することを特徴とする請求項３５乃至３８のいずれか一項に記載の画像形成システム。
【請求項４０】
前記電力制御手段は、前記ユーザにより指示された時刻よりも後に、前記検知手段が前記シートセット部にセットされていることを検知しなくなったことに応じて、前記所定のデバイスへの電力供給を停止することを特徴とする請求項３５乃至３９のいずれか一項に記載の画像形成システム。
【請求項４１】
前記ユーザにより指示された時刻は、当該時刻に前記所定のデバイスをオフ状態に移行させるために指示された時刻であることを特徴とする請求項３５乃至４０のいずれか一項に記載の画像形成システム。
【請求項４２】
前記ユーザにより指定された時刻に前記検知手段が前記シートセット部にシートがあることを検知したことに従って、前記所定のデバイスへの電力供給の停止を予約する予約手段をさらに有し、
前記電力制御手段は、前記予約手段による予約に基づき、前記検知手段により前記シートセット部に用紙があることが検知されなくなったことに応じて、前記所定のデバイスへの電力供給を停止することを特徴とする請求項３５乃至４１のいずれか一項に記載の画像形成システム。
【請求項４３】
前記所定のデバイスは、前記画像形成手段がシートに形成した画像を前記シートに定着させる定着手段であることを特徴とする請求項３５乃至４２のいずれか一項に記載の画像形成システム。
【請求項４４】
前記画像形成システムは、画像形成装置とフィニッシャからなり、
前記画像形成装置は、
前記画像形成手段と、前記電力制御手段と、を有し、
前記フィニッシャは、
前記シートセット部と、前記検知手段と、前記ステイプル手段と、を有する
ことを特徴とする請求項３５乃至４３のいずれか一項に記載の画像形成システム。
【請求項４５】
画像形成装置から搬送されたシートをステイプルするステイプル手段と、ユーザによりセットされた位置で前記ステイプル手段により綴じられるシートがセットされるシートセット部と、前記シートセット部にシートがセットされていることを検知する検知手段と、を有するフィニッシャを取り付け可能な画像形成装置であって、
シートに画像を形成する画像形成手段と、
ユーザにより指定された時刻に、前記検知手段の検知結果に基づいて所定のデバイスへの電力供給を停止する電力制御手段と、
を有することを特徴とする画像形成装置。
【請求項４６】
前記電力制御手段は、前記ユーザにより指定された時刻に、前記検知手段により前記シートセット部にシートがセットされていることが検知されていることに基づいて、所定のデバイスへの電力供給を停止しないことを特徴とする請求項４５に記載の画像形成装置。
【請求項４７】
前記電力制御手段は、前記ユーザにより指定された時刻に、前記検知手段により前記シートセット部にシートがセットされていることが検知されていないことに基づいて、前記所定のデバイスへの電力供給を停止することを特徴とする請求項４５または４６に記載の画像形成装置。
【請求項４８】
前記所定のデバイスは、前記画像形成手段がシートに形成した画像を前記シートに定着させる定着手段であることを特徴とする請求項４５乃至４７のいずれか一項に記載の画像形成装置。
【請求項４９】
画像を表示する表示手段をさらに有し、
前記表示手段は、前記ユーザにより指定された時刻に、前記検知手段により前記シートセット部にシートがセットされていることを検知していないことに基づいて、前記画像を表示しないことを特徴とする請求項４５乃至４８のいずれか一項に記載の画像形成装置。
【手続補正２】
【補正対象書類名】明細書
【補正対象項目名】発明の名称
【補正方法】変更
【補正の内容】
【発明の名称】画像形成システム及び画像形成装置
【手続補正３】
【補正対象書類名】明細書
【補正対象項目名】０００１
【補正方法】変更
【補正の内容】
【０００１】
本発明は、画像形成システム及び画像形成装置に関する。
【手続補正４】
【補正対象書類名】明細書
【補正対象項目名】００１０
【補正方法】変更
【補正の内容】
【００１０】
上記目的を達成するために本発明の一態様に係る画像形成システムは、シートに画像を形成する画像形成手段と、前記画像形成手段から搬送されたシートをステイプルするステイプル手段と、ユーザによりセットされた位置で前記ステイプル手段により綴じられるシートがセットされるシートセット部と、前記シートセット部にシートがセットされていることを検知する検知手段と、節電移行指示をユーザから受け付ける受付手段と、前記受付手段により受け付けられた前記節電移行指示に応じて、前記検知手段の検知結果に基づき所定のデバイスへの電力供給を停止する電力制御手段と、を有することを特徴とする。